(57)【要約】【課題】比抵抗が低く、かつ、高温条件下においても使用可能な電解コンデンサの駆動用電解液を提供する。【解決手段】多価アルコールと水とを混合した溶媒に、カルボン酸またはその塩と、以下の化学式で表されるトリプトファンを溶解する。上記カルボン酸としては、アゼライン酸、セバシン酸、１、６−デカンジカルボン酸、５、６−デカンジカルボン酸、７−ビニルヘキサデセン−１、１６−ジカルボン酸等を例示することができる。また、カルボン酸の塩としては、アンモニウム塩の他、メチルアミン、エチルアミン、ｔ−ブチルアミン等の一級アミン塩、ジメチルアミン、エチルメチルアミン、ジエチルアミン等の二級アミン塩、トリメチルアミン、ジエチルメチルアミン、エチルジメチルアミン、トリエチルアミン等の三級アミン塩、テトラメチルアンモニウム、トリエチルメチルアンモニウム等の四級アンモニウム塩等を例示することができる。【化１】2004186485.tif 000007【選択図】      なし【特許請求の範囲】
【請求項１】
多価アルコールと水との混合溶媒に、カルボン酸またはその塩と、以下の化学式で表されるトリプトファンとを溶解したことを特徴とする電解コンデンサの駆動用電解液。
【化１】
2004186485.tif 000006
【請求項２】
請求項１において、トリプトファンの溶解量が、電解液全体に対して０．１〜１．０ｗｔ％であることを特徴とする電解コンデンサの駆動用電解液。
【請求項３】
請求項１または請求項２において、水の混合量が、電解液全体に対して２．０〜１０．０ｗｔ％であることを特徴とする電解コンデンサの駆動用電解液。
【発明の詳細な説明】
【０００１】
【発明の属する技術分野】
本発明は、電解コンデンサの駆動用電解液（以下、電解液と称す）の改良に関するものである。
【０００２】
【従来の技術】
近年、電解コンデンサの小型化に伴い、電解コンデンサの陽極箔にはエッチング倍率の高いものが使用されるようになり、電解液としては、比抵抗の低いものが要求されている。
このような電解液として、従来、エチレングリコールを主溶媒とし、電解質としてカルボン酸のアンモニウム塩を溶解したものが使用されている（例えば、特許文献１、２参照）。
【０００３】
【特許文献１】
特公平７−４８４６０号公報（第２頁、表）
【特許文献２】
特公報７−６３０４７号公報（第３頁、表１）
【０００４】
【発明が解決しようとする課題】
上記電解液で低比抵抗のものを得るには、電解質の濃度を高くするか、水を多量に添加しなければならない。しかし、電解質の濃度の増加は電解質の析出、耐電圧低下を起こすという問題がある。また水を多量に添加した場合、電解コンデンサの高温無負荷時の漏れ電流を増加させるため、１０５℃での使用は困難であった。
【０００５】
以上の問題点に鑑みて、本発明の課題は、比抵抗が低く、かつ、高温条件下においても使用可能な電解コンデンサの駆動用電解液を提供することにある。
【０００６】
【課題を解決するための手段】
上記課題を解決するため、本発明では、電解液にトリプトファンを溶解することで、高温下での電極箔と水との水和反応を抑制し、高温無負荷での信頼性に優れた電解液を提供するものである。
【０００７】
すなわち、本発明に係る電解液では、エチレングリコールなどの多価アルコールと水との混合溶媒に、カルボン酸またはその塩と、以下の化学式で表されるトリプトファンとを溶解したことを特徴とする。
【０００８】
【化２】
2004186485.tif 000002
【０００９】
本発明において、上記トリプトファンの溶解量は、電解液全体に対して０．１〜１．０ｗｔ％であることが好ましい。０．１ｗｔ％未満では十分な効果が得られず、１．０ｗｔ％を超えると比抵抗が高くなる傾向にある。
【００１０】
本発明において、水の混合量は電解液全体に対して、２．０〜１０．０ｗｔ％であることが好ましい。２．０ｗｔ％未満では比抵抗がやや高く、１０．０ｗｔ％を超えると、トリプトファンの効果が低下する傾向にある。
【００１１】
本発明において、上記カルボン酸としては、アゼライン酸、セバシン酸、１、６−デカンジカルボン酸、５、６−デカンジカルボン酸、７−ビニルヘキサデセン−１、１６−ジカルボン酸等を例示することができる。
【００１２】
また、カルボン酸の塩としては、アンモニウム塩の他、メチルアミン、エチルアミン、ｔ−ブチルアミン等の一級アミン塩、ジメチルアミン、エチルメチルアミン、ジエチルアミン等の二級アミン塩、トリメチルアミン、ジエチルメチルアミン、エチルジメチルアミン、トリエチルアミン等の三級アミン塩、テトラメチルアンモニウム、トリエチルメチルアンモニウム等の四級アンモニウム塩等を例示することができる。
【００１３】
多価アルコールとしては、エチレングリコール、プロピレングリコール、ジエチレングリコール、トリエチレングリコール、グリセリン等を例示することができる。
【００１４】
【発明の実施の形態】
本発明に係る電解液では、少なくともエチレングリコールなどの多価アルコールと水とを混合した溶媒に、少なくとも、カルボン酸またはその塩と、トリプトファンとを配合する。ここで、トリプトファンの溶解量については、例えば、電解液全体に対して０．１〜１．０ｗｔ％とする。また、水の混合量については、電解液全体に対して２．０〜１０．０ｗｔ％とする。
【００１５】
本発明に係る電解液では、電解液中のトリプトファンが電極箔表面に吸着するため、水の添加量が増加しても１０５℃の高温下での水と電極箔との水和反応を抑制でき、高温無負荷時の漏れ電流増大を抑制することができる。また電解質の増量を必要としないので、耐電圧が低下することもない。
【００１６】
【実施例】
以下、本発明の実施例を具体的に説明する。表１、２の組成で電解液を調合し、３０℃における比抵抗を測定した結果を表１、２に示す。
【００１７】
【表１】
2004186485.tif 000003
【００１８】
【表２】
2004186485.tif 000004
【００１９】
次に、表１、２に示す各電解液を使用して、定格４００Ｖ−２２μＦ（φ１６×２５ｍｍＬ）の電解コンデンサを各１０個を作製し、ｔａｎδ、漏れ電流について初期特性測定後、高温無負荷試験（１０５℃、１０００時間放置）を行い、表３の結果を得た。
【００２０】
【表３】
2004186485.tif 000005
【００２１】
表３に示すように、トリプトファンを溶解しなかった従来例１〜３と比較し、本発明の実施例１〜９では高温無負荷試験において漏れ電流の増大が抑制され、優れた特性を示している。
【００２２】
なお、トリプトファンの溶解量は０．１〜１．０ｗｔ％の範囲が好ましい。０．１ｗｔ％未満では十分な効果が得られず、低漏れ電流用途に不向きであり、１．０ｗｔ％を超えると比抵抗が高くなり、低比抵抗用途に不向きとなる。
【００２３】
また、水の混合量は２．０〜１０．０ｗｔ％の範囲が好ましく、２．０ｗｔ％未満では比抵抗がやや高いので、低比抵抗用途に不向きであり、１０．０ｗｔ％を超えると、トリプトファンの効果が低下するので好ましくない。
【００２４】
なお、本発明は、上記実施例に限定されるものではなく、先に例示したカルボン酸またはその塩を単独または複数溶解しても、同様の効果がある。また、必要により、耐洗浄剤としてニトロ化合物を溶解してもよい。
【００２５】
【発明の効果】
以上説明したように、本発明によるトリプトファンを溶解した電解液は、エチレングリコールなどの多価アルコールと水との混合溶媒に溶解し易く、かつ、水を含有していても高温下での電極箔と水との水和反応を抑制し、高温無負荷での信頼性に優れるため、電解コンデンサの特性改善並びに信頼性向上を図ることができる。